(57)【特許請求の範囲】
【請求項１】
ケース(3)に設けた装着部(4)に被充電パック(1)を装着して、被充電パック(1)の電極端子(2)に、装着部(4)に設けた弾性線材(5)を接続して被充電パック(1)の二次電池を充電するように構成され、かつ、被充電パック(1)が装着部(4)に傾動できるように装着されると共に、被充電パック(1)の側面に設けられた電極端子(2)に接続される弾性線材(5)を、装着部(4)の側面に配設してなる充電器において、以下の全ての構成を有することを特徴とする充電器。
（ａ）  被充電パック(1)を装着部(4)で傾動させたときに、電極端子(2)が移動する横ずれ方向に延長して電極窓(6)を開口している。
（ｂ）  弾性線材(5)は、被充電パック(1)の電極端子(2)に接触する接触凸部(5A)を先端部に有する。
（ｃ）  接触凸部(5A)は、電極窓(6)から外部に表出して、装着部(4)に装着される被充電パック(1)の電極端子(2)に接続する形状をしている。
（ｄ）  接触凸部(5A)は、被充電パック(1)の脱着方向に延長している。
（ｅ）  弾性線材(5)は、固定部(5B)と接触凸部(5A)との間に、接触凸部(5A)を電極窓(6)に沿って横ずれ方向に弾性変形させる横ずれ弾性変形部(5C)を有し、被充電パック(1)を傾動させたときに、横ずれ弾性変形部(5C)を弾性変形させるように構成している。
【請求項２】
横ずれ弾性変形部(5C)が、ジグザグ状に折曲されてなる請求項１に記載される充電器。
【請求項３】
ケース(3)に設けた装着部(4)に被充電パック(1)を装着して、被充電パック(1)の電極端子(2)に、装着部(4)に設けた弾性線材(5)を接続して被充電パック(1)の二次電池を充電するように構成され、かつ、被充電パック(1)が装着部(4)に傾動できるように装着されると共に、被充電パック(1)の側面に設けられた電極端子(2)に接続される弾性線材(5)を、装着部(4)の側面に配設してなる充電器において、以下の全ての構成を有すると共に、
弾性線材(5)の電極窓(6)が、横ずれ方向に延長するスリット(11)を有し、このスリット(11)に接触凸部(5A)の両側を移動させて、接触凸部(5A)を横ずれ方向に移動させることを特徴とする充電器。
（ａ）  被充電パック(1)を装着部(4)で傾動させたときに、電極端子(2)が移動する横ずれ方向に延長して電極窓(6)を開口している。
（ｂ）  弾性線材(5)は、被充電パック(1)の電極端子(2)に接触する接触凸部(5A)を先端部に有する。
（ｃ）  接触凸部(5A)は、電極窓(6)から外部に表出して、装着部(4)に装着される被充電パック(1)の電極端子(2)に接続する形状をしている。
（ｄ）  接触凸部(5A)は、被充電パック(1)の脱着方向に延長している。
（ｅ）  弾性線材(5)は、固定部(5B)と接触凸部(5A)との間に、接触凸部(5A)を電極窓(6)に沿って横ずれ方向に弾性変形させる横ずれ弾性変形部(5C)を有し、被充電パック(1)を傾動させたときに、横ずれ弾性変形部(5C)を弾性変形させるように構成している。
【発明の詳細な説明】
【０００１】
【発明の属する技術分野】
本発明は、被充電パックを脱着自在に装着して、内蔵している二次電池を充電する充電器に関する。とくに、本発明は、被充電パックを傾動できるようにケースの装着部に装着している充電器に関する。
【０００２】
本明細書において、「被充電パック」とは、二次電池を内蔵している携帯用電気機器やパック電池を意味するものとする。
【０００３】
【従来の技術】
二次電池を内蔵している携帯電話等の携帯電気機器の充電器は、ケースの上面に、携帯電気機器を脱着できるようにセットする装着部を設けている。装着部に携帯電気機器がセットされると、携帯電気機器に設けた電極端子は充電器に接続されて、内蔵している二次電池が充電される。この構造の充電器は、携帯電気機器を装着部に傾動できるように装着して、装着を簡単にできる。傾動できない装着部は、携帯電気機器を正確に挿入する必要があって、簡単に装着できない。
【０００４】
携帯電気機器を装着部にセットしたときに、電極端子に接続するために、装着部に表出して弾性線材を設けている。弾性線材は、装着部の底面に設けられ、あるいは、装着部の側面に設けられる。ケースの底面に電極端子を設けた被充電パックの充電器は、装着部の底面に弾性線材を配設する。これに対して、ケースの側面に電極端子を設けた携帯電気機器の充電器は、装着部の側面に弾性線材を設ける必要がある。装着部の側面に設けた弾性線材は、被充電パックを脱着するときに、電極端子を摺動して接触不良を少なくできる特長がある。
【０００５】
【発明が解決しようとする課題】
しかしながら、装着部の側面に設けた弾性線材は、被充電パックを傾動させるときに変形しやすい欠点がある。とくに、被充電パックは、ほとんど例外なく電極端子を凹部に配設しているので、凹部に弾性線材を挿入する状態で、被充電パックを傾動させると、弾性線材が変形して歪んでしまう欠点がある。弾性線材が変形すると、被充電パックを装着部にセットしたときに、確実に電極端子に接触できなくなって、接触不良の原因となる。
【０００６】
本発明は、このような欠点を解決することを目的に開発されたもので、本発明の重要な目的は、側面に電極端子を設けた被充電パックを傾動させても、これに電気接続される弾性線材の変形を有効に防止して、接触不良を少なくできる充電器を提供することにある。
【０００７】
【課題を解決するための手段】
本発明の充電器は、ケース３に設けた装着部４に被充電パック１を装着して、被充電パック１の電極端子２に、装着部４に設けた弾性線材５を接続して被充電パック１の二次電池を充電する。被充電パック１は、充電器の装着部４に傾動できるように装着される。さらに、被充電パック１は、側面に電極端子２を設けている。充電器は、この電極端子２に接続される弾性線材５を、装着部４の側面に配設している。
【０００８】
ところで、本明細書において、被充電パック１の側面は、傾動させる方向を基準に特定するものとし、被充電パック１を前後に傾動させる場合は、被充電パック１の左右面を側面とし、被充電パック１を左右に傾動できる場合は、被充電パック１の前後面を側面と定義する。
【０００９】
さらに、本発明の請求項１の充電器は、以下の独特の構成を有することを特徴とする。
（ａ）  被充電パック１を装着部４で傾動させたときに、電極端子２が移動する横ずれ方向に延長して電極窓６を開口している。
（ｂ）  弾性線材５は、被充電パック１の電極端子２に接触する接触凸部５Ａを先端部に有する。
（ｃ）  接触凸部５Ａは、電極窓６から外部に表出して、装着部４に装着される被充電パック１の電極端子２に接続する形状をしている。
（ｄ）  接触凸部５Ａは、被充電パック１の脱着方向に延長している。
（ｅ）  弾性線材５は、固定部５Ｂと接触凸部５Ａとの間に、接触凸部５Ａを電極窓６に沿って横ずれ方向に弾性変形させる横ずれ弾性変形部５Ｃを有し、被充電パック１を傾動させたときに、横ずれ弾性変形部５Ｃを弾性変形させるように構成している。
【００１０】
本発明の充電器は、弾性線材５の横ずれ弾性変形部５Ｃを、渦巻状に巻いたコイルバネ状とする。また、本発明の充電器は、弾性線材５の横ずれ弾性変形部５Ｃを、ジグザグ状に折曲する形状とする。
【００１１】
さらに、本発明の充電器は、弾性線材５の電極窓６に、横ずれ方向に延長するスリット１１を設け、このスリット１１に接触凸部５Ａの両側を移動させて、接触凸部５Ａを横ずれ方向に移動させるようにしている。
【００１２】
【発明の実施の形態】
以下、本発明の実施例を図面に基づいて説明する。ただし、以下に示す実施例は、本発明の技術思想を具体化するための充電器を例示するものであって、本発明は充電器を以下のものに特定しない。
【００１３】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１４】
図１に示す充電器は、ケース３にプリント基板７を内蔵している。プリント基板７は、被充電パック１の二次電池を充電する電源回路８を実装している。電源回路８には、弾性線材５を接続している。弾性線材５は、ケース３に設けた装着部４に装着される被充電パック１の電極端子２に接続されて、被充電パック１の二次電池を充電する。
【００１５】
図１は、被充電パック１を充電器に装着して充電する状態を示している。この図に示す充電器は、ケース３の上面に、被充電パック１を脱着自在に装着する装着部４を設けている。
【００１６】
装着部４は、被充電パック１の下部を挿入して、被充電パック１を、図１に示すように、傾斜する姿勢で自立させる深さを有する。装着部４の幅は、図７に示すように、被充電パック１の横幅よりも少し広くしている。装着部４は、傾斜する姿勢で被充電パック１を保持し、かつ、被充電パック１を脱着するときに、図２の矢印で示すように、上方を前方に移動できるように、保持する。装着部４は、図１と図２の断面図に示すように、被充電パック１の背面を支持する背面支持部９と、被充電パック１の前面を支持する前面支持部１０とを、互いに対向する位置に配設している。
【００１７】
装着部４の側面には、被充電パック１の電極端子２に接触する弾性線材５を充電用の端子として設けている。弾性線材５は、弾性変形できる金属線を加工して製作される。弾性線材５は、充電器のケース３に内蔵されたプリント基板７に固定されて、装着部４の側面に開口している電極窓６から、装着部４に弾性的に突出している。さらに、弾性線材５は、プリント基板７に実装される充電回路である電源回路８に接続されて、電極端子２に接触して被充電パック１の二次電池を充電する。
【００１８】
弾性線材５は、被充電パック１の電極端子２に接触する接触凸部５Ａを先端部に有する。この接触凸部５Ａは、金属線を山形に折曲して設けている。接触凸部５Ａは、図３の断面図に示すように、電極窓６から装着部４に表出して、被充電パック１の電極端子２に接続される。さらに、接触凸部５Ａは、被充電パック１の電極端子２にスムーズに接触できるように、いいかえると、被充電パック１を装着部４に脱着するときに、電極端子２を摺動するように、脱着方向に延長している。図の被充電パック１は、上下に移動して装着部４に脱着される。したがって、接触凸部５Ａは上下方向に延長している。
【００１９】
接触凸部５Ａの下端には、電極窓６の下方のケース３の内面を摺動する摺動片５Ｄを設けている。弾性線材５は、接触凸部５Ａと摺動片５Ｄとの境界を折曲して、摺動片５Ｄをケース３の内面に沿う形状としている。摺動片５Ｄは、弾性線材５の弾性で、ケース３の内面に弾性的に押圧されて、弾性変形する接触凸部５Ａの突出量を特定する。
【００２０】
さらに、図に示す弾性線材５は、固定部５Ｂと接触凸部５Ａとの間に、接触凸部５Ａを電極窓６に沿って横ずれ方向に弾性変形させる横ずれ弾性変形部５Ｃを設けている。横ずれ弾性変形部５Ｃは、被充電パック１を傾動させたときに、弾性変形して、弾性線材５が歪むのを防止する。図の弾性線材５は、金属線を渦巻状に巻してコイルバネ状の横ずれ弾性変形部５Ｃを設けている。ただし、横ずれ弾性変形部は、図示しないが、ジグザグ状に折曲することもできる。
【００２１】
弾性線材５の斜視図を図４に示す。この図の弾性線材５は、上端部に横ずれ弾性変形部５Ｃを設けている。図において、横ずれ弾性変形部５Ｃの右側を垂直部としてプリント基板７等に固定する。横ずれ弾性変形部５Ｃの左側には接触凸部５Ａを設けている。比較のために、従来の弾性線材５を図５に示す。この図の弾性線材５は、横ずれ弾性変形部がないので、矢印Ａで示す方向にのみ、無理なく弾性変形する。これに対して図４に示す弾性線材５は、矢印Ａで示す方向に加えて、横ずれ弾性変形部５Ｃによって、矢印Ｂで示す横ずれ方向にも無理なく弾性変形する。
【００２２】
弾性線材５を装着部４に表出させる電極窓６は、被充電パック１を装着部４で傾動させたときに、電極端子２が移動する横ずれ方向に延長して開口される。図７と図８に示す電極窓６は、左右に延長して開口している。被充電パック１を図７から図８に示す方向に傾動させるときに、電極端子２が左右に移動するからである。この図において、電極端子２の「横ずれ方向」は左右方向となる。
【００２３】
さらに、電極窓６は図６の拡大正面図に示すように、２列のスリット１１を横ずれ方向である左右方向に延長して設けている。２列のスリット１１には、図３の断面図に示すように、接触凸部５Ａの両側を移動させる。２列のスリット１１の間には、山形に折曲している接触凸部５Ａの背面に水平ロッド１２を設けている。この構造の電極窓６は、弾性線材５をスムーズに横ずれ方向に弾性変形できる。
【００２４】
この構造の充電器は、装着部４に被充電パック１を装着して充電するとき、図１と図７に示すように、接触凸部５Ａを電極端子２に接触させる。被充電パック１を前方に傾動させると、図２と図８に示すように、横ずれ弾性変形部５Ｃが弾性変形して、接触凸部５Ａを電極端子２に接触させる。図の被充電パック１は、電極端子２をケースの凹部１３に設けている。この被充電パック１の電極端子２に接触する接触凸部５Ａは、ケースの凹部１３に挿入される状態で、電極端子２に接触する。被充電パック１が傾動されると、横ずれ弾性変形部５Ｃが弾性変形して、接触凸部５Ａを凹部１３に挿入させる状態に保持する。このとき、横ずれ弾性変形部５Ｃが弾性変形するので、弾性線材５は局部的に無理に変形することがない。このため、被充電パック１を傾動させても、弾性線材５が歪むことはない。
【００２５】
【発明の効果】
本発明の充電器は、側面に電極端子を設けた被充電パックを傾動させても、これに電気接続される弾性線材の変形を有効に防止して、接触不良を少なくできる特長がある。それは、本発明の充電器が、装着部に装着した被充電パックの電極端子に、弾性線材を接続して被充電パックを充電しており、弾性線材が、被充電パックの電極端子に接触する接触凸部を先端部に有すると共に、固定部と接触凸部との間に、接触凸部を横ずれ方向に弾性変形させる横ずれ弾性変形部を設けているからである。このため、本発明の充電器は、装着部に装着した被充電パックを傾動させても、弾性変形する横ずれ弾性変形部によって、接触凸部を横ずれ方向に無理なく弾性変形できる。したがって、側面に電極端子を設けた被充電パックを装着部で傾動させても、電極端子に電気接続される弾性線材が変形して歪んでしまうのを有効に防止して、確実に電極端子に接触できる特長が実現される。
【図面の簡単な説明】
【図１】本発明の実施例の充電器に被充電パックを装着した状態を示す断面図
【図２】図１に示す充電器に装着した被充電パックを傾斜させた状態を示す断面図
【図３】充電器と被充電パックの接触部分を示す拡大断面図
【図４】本発明の実施例の充電器に使用する弾性線材の拡大斜視図
【図５】従来の充電器に使用する弾性線材の拡大斜視図
【図６】本発明の実施例の充電器の装着部に設けられる電極窓の一部断面拡大正面図
【図７】図１に示す充電器を底から見た水平断面図
【図８】図２に示す充電器を底から見た水平断面図
【符号の説明】
１…被充電パック
２…電極端子
３…ケース
４…装着部
５…弾性線材            ５Ａ…接触凸部            ５Ｂ…固定部
５Ｃ…横ずれ弾性変形部    ５Ｄ…摺動片
６…電極窓
７…プリント基板
８…電源回路
９…背面支持部
１０…前面支持部
１１…スリット
１２…水平ロッド
１３…凹部
【図１】
0003999892.tif 000002
【図２】
0003999892.tif 000003
【図３】
0003999892.tif 000004
【図４】
0003999892.tif 000005
【図５】
0003999892.tif 000006
【図６】
0003999892.tif 000007
【図７】
0003999892.tif 000008
【図８】
0003999892.tif 000009